(57)【特許請求の範囲】
【請求項１】
浴槽パンＰ１上に載置されている浴槽Ｂに排水口１を形成し、この排水口１を開閉する栓蓋２を有する排水栓３を前記排水口１に取り付け、操作レリース４を介して前記栓蓋２の開閉を遠隔操作する操作部５を有し、前記排水口１、前記浴槽パンＰ１および洗い場Ａ側の洗い場パンＰ２の三点からの排水を排水部材Ｃにより処理し得るようにした浴室の配管において、前記操作レリース４を排水部材Ｃの排水トラップ６を経て前記排水栓３に接続し、この操作レリース４の途中を排水部材Ｃのエルボ７と前記排水トラップ６間に形成されるガイド８により案内したことを特徴とする浴室の配管構造。
【請求項２】
排水トラップ６内に位置する防臭筒６ｃを排水トラップ６に対して偏心させて配置したことを特徴とする請求項１記載の浴室の配管構造。
【請求項３】
操作レリース挿通用の孔９ａを有する保持部材９を排水トラップ６の所定位置に取り付けたことを特徴とする請求項１または２記載の浴室の配管構造。
【請求項４】
排水口１とエルボ７とを蛇腹パッキン１０で接続し、その接合部分をネジ止めすることを特徴とする請求項１記載の浴室の配管構造。
【発明の詳細な説明】
【技術分野】
【０００１】
本発明は、浴槽の排水口、浴槽パンおよび洗い場側の洗い場パンの三点からの排水を処理するための浴室の配管構造に関するものである。
【背景技術】
【０００２】
浴室の配管機構として、従来、浴槽パン上に載置されている浴槽に排水口を形成し、この排水口を開閉する栓蓋を有する排水栓を前記排水口に取り付け、操作レリースを介して前記栓蓋の開閉を遠隔操作する操作部を前記浴槽に設け、前記排水口、前記浴槽パンおよび洗い場側の洗い場パンの三点からの排水を排水部材により処理し得るようにしたものが提案されている（例えば、特許文献１参照）。
【０００３】
【特許文献１】特開２００１−２９５３４３号公報
【発明の開示】
【発明が解決しようとする課題】
【０００４】
このような配管では、以下のような欠点がある。例えば、リフォームを行う（古い浴室などを新しい浴室に作り替える）場合など、配管レイアウトの変更が極めて難しい場合には、古い配管の位置にそのまま合わせる必要があるので、それだけ配管の位置が制限を受けることになる。そして、この場合には、通常、排水部材のエルボ側から操作レリースを取り付けていたが、逆の方向である排水トラップ側から操作レリースを取り付けなければならないという事態が生じる場合もある。
【０００５】
しかしながら、排水トラップ側から操作レリースを通す場合には、前記エルボから前記栓蓋に到達する前に、操作レリースが想定外の方向に曲がってしまい、位置関係が捉え難く、届き難いという欠点があった。本発明は、この欠点を解消することを目的とするものである。
【課題を解決するための手段】
【０００６】
上記目的を達成するために、本発明では、浴槽パンＰ１上に載置されている浴槽Ｂに排水口１を形成し、この排水口１を開閉する栓蓋２を有する排水栓３を前記排水口１に取り付け、操作レリース４を介して前記栓蓋２の開閉を遠隔操作する操作部５を有し、前記排水口１、前記浴槽パンＰ１および洗い場Ａ側の洗い場パンＰ２の三点からの排水を排水部材Ｃにより処理し得るようにした浴室の配管において、前記操作レリース４を排水部材Ｃの排水トラップ６を経て前記排水栓３に接続し、この操作レリース４の途中を排水部材Ｃのエルボ７と前記排水トラップ６間に形成されるガイド８により案内する。
【０００７】
この場合には、排水部材Ｃの排水トラップ６を経て排水栓３に接続されるべき操作レリース４の途中が前記ガイド８に案内されるので、操作レリース４を排水部材Ｃのエルボ７側に位置する栓蓋２の真下まで正確に導くことができ、操作レリース４を通しにくいという欠点を解消することができる。
【０００８】
排水トラップ６内に位置する防臭筒６ｃを排水トラップ６に対して偏心させて配置しておくことが望ましい。このようにすると、防臭筒６ｃの偏心によりスペースが広くなった部分に操作レリース挿通用の孔を形成することができ、その孔を設けるために排水トラップ６の大きさを変える必要がないなどの利点がある。
【０００９】
操作レリース挿通用の孔９ａを有する保持部材９を排水トラップ６の所定位置に取り付けておくことが望ましい。このようにすると、排水トラップ６側から挿通すべき操作レリース４を排水トラップ６の最適な位置に導いて保持部材９の操作レリース挿通用の孔９ａからガイド８に正確に導くことができる。
【００１０】
排水口１とエルボ７とを蛇腹パッキン１０で接続し、その接合部分をネジ止めすることが望ましい。このようにすると、排水口１およびエルボ７と蛇腹パッキン１０の接合部分における水漏れを防止することができる。
【発明の効果】
【００１１】
請求項１記載の発明によれば、排水部材Ｃの排水トラップ６を経て排水栓３に接続されるべき操作レリース４の途中がガイド８に案内されるので、操作レリース４を排水部材Ｃのエルボ７側に位置する栓蓋２の真下まで正確に導くことができ、操作レリース４を通しにくいという欠点を解消することができる。
【００１２】
請求項２記載の発明によれば、防臭筒６ｃの偏心によりスペースが広くなった部分に操作レリース挿通用の孔を形成することができ、その孔を設けるために排水トラップ６の大きさを変える必要がないなどの利点がある。
【００１３】
請求項３記載の発明によれば、排水トラップ６側から挿通すべき操作レリース４を排水トラップ６の最適な位置に導いて保持部材９の操作レリース挿通用の孔９ａからガイド８に正確に導くことができる。
【００１４】
請求項４記載の発明によれば、排水口１およびエルボ７と蛇腹パッキン１０の接合部分における水漏れを防止することができる。
【発明を実施するための最良の形態】
【００１５】
本発明による浴室の配管構造の一例を、図面に基づいて詳細に説明する。図１に、本発明による浴室の配管構造の一例を、図２に、その設置状態を詳細に示す。両図に示すように、浴槽パンＰ１上に載置されている浴槽Ｂの底部に、前記浴槽Ｂの水を流す排水口１が形成され、この排水口１を開閉する栓蓋２を有する排水栓３が前記排水口１に取り付けられている。また、操作レリース４を介して前記栓蓋２の開閉を遠隔操作する操作部５が前記浴槽Ｂの上部周辺に形成されている取付口ｂに取り付けられている。
【００１６】
排水栓３は、図面１(b)に示すように、排水口１を内部に備えた略円筒状の部材であって、前記排水口１を開閉する栓蓋２と、前記排水口１内に配置されていて前記栓蓋２を下方から支持する軸受部材３ａなどからなっている。
【００１７】
操作レリース４は、中空状であって側面方向に可撓性を有するアウターチューブと、このチューブ内を軸芯方向に対して進退自在に配置されているレリースワイヤとからなっているが、図面上にはそれらを表わすことを省略する。この操作レリース４の上端は前記操作部５に、また、操作レリース４の下端は前記軸受部材３ａに接続されており、操作部５を操作することにより前記操作レリース４を介して軸受部材３ａに支持されている栓蓋２が上下し、排水口１を開閉することができる。
【００１８】
そして、前記排水口１、前記浴槽パンＰ１および洗い場Ａ側の洗い場パンＰ２の三点からの排水を処理し得るように、排水部材Ｃが前記浴槽Ｂと前記浴槽パンＰ１と前記洗い場パンＰ２の直下に配置されている。排水部材Ｃは、前記浴槽パンＰ１と洗い場Ａ側の洗い場パンＰ２とに跨るように位置する排水トラップ６と、前記浴槽Ｂおよび浴槽パンＰ１の直下に位置するエルボ７とからなっており、両者は水密的に接続されている。排水トラップ６とエルボ７とは、それぞれの接続パイプ６ａ、７ａを水密的に接続することにより連結されており、前記浴槽Ｂおよび浴槽パンＰ１の二点からの排水をエルボ７側の目皿部材７ｂを経て前記両接続パイプ６ａ、７ａからさらに排水トラップ６を経てその排出口６ｂから下水管（図示しない）へと排出することができる。
【００１９】
前記操作レリース４は排水トラップ６側からこの排水トラップ６に挿通され、それより先側が前記両接続パイプ６ａ、７ａ内を通って排水栓３側に達し、操作レリース４の先端部分が上述したように前記軸受部材３ａに接続されている。この場合において、前記両接続パイプ６ａ、７ａ内にガイド８を形成すると、操作レリース４の途中をこのガイド８により案内することができる。したがって、操作レリース４を排水部材Ｃのエルボ７側に位置する栓蓋２の真下まで正確に導くことができ、操作レリース４を通しにくいという欠点を解消することができる。ガイド８は溝状のものであってもよいし、パイプを配置してそれをガイド８としてもよい。なお、ガイド８の長さは排水トラップ６に形成されている操作レリース挿通用の孔９ａからエルボ７までの距離に等しくするのがよい。
【００２０】
前記操作レリース４を排水トラップ６に挿通するに当って、排水トラップ６内に位置する防臭筒６ｃを排水トラップ６に対して偏心（図１(a)においてｓで示す）させて配置してある。このようにすると、防臭筒６ｃの偏心によりスペースが広くなった部分Ｓに、操作レリース挿通用の孔９ａを形成することができ、その孔９ａを設けるために排水トラップ６の大きさを変える必要がないなどの利点がある。なお、排水トラップ６内に位置する防臭筒６ｃの直下は、排水を溜める封水部６ｄとなっており、封水部６ｄからオーバーフローした水を上述したように排出口６ｂから下水管（図示しない）へと排出することができる。
【００２１】
また、前記操作レリース４を排水トラップ６に挿通するに当って、ここでは、防臭筒６ｃの偏心によりスペースが広くなった部分Ｓに、操作レリース挿通用の孔９ａを有する保持部材９を取り付けた場合が例示されている。この場合には、排水トラップ６側から挿通すべき操作レリース４を排水トラップ６の最適な位置に導いて保持部材９の操作レリース挿通用の孔９ａから前記ガイド８に正確に導くことができる。
【００２２】
このように、ここに例示した浴室の配管構造によれば、リフォームなど、配管レイアウトがある程度制限を受ける場合においても、極めて効果的に機能する。
【００２３】
さらに、ここでは、排水口１とエルボ７とを蛇腹パッキン１０で接続し、その接合部分をネジ１１、１２によりネジ止めした場合が例示されている。この場合には、排水口１およびエルボ７と蛇腹パッキン１０の接合部分における水漏れを防止することができる。
【００２４】
なお、洗い場Ａ側の洗い場パンＰ２においては、化粧カバーの隙間（図２においてｐで示す）から化粧カバーに形成されている突起状の脚の間を通って洗い場パンＰ２からの排水が排水トラップ６に流れ落ちるようになっている。
【００２５】
ここに例示した浴室の配管構造はあくまでも本発明の一例を示したに過ぎず、ここに例示したもののみに限定されるものではなく、発明の要旨を変更しない範囲でその構成を種々変更することが可能である。例えば、排水部材Ｃである排水トラップ６、エルボ７、または防臭筒６ｃの各部の平面形状を方形状や楕円形状など円形以外の形状にしたり、あるいは、封水部６ｄから排出口６ｂに向かって傾斜させるなど排水トラップ６の側面形状も種々変更することが可能である。
【図面の簡単な説明】
【００２６】
【図１】本発明による浴室の配管構造の一例を示す図で、(a)はその平面図、(b)は排水栓と操作レリースを取り付けた状態で示す断面図である。
【図２】図１に示す浴室の配管構造の設置状態を詳細に示す断面図である。
【符号の説明】
【００２７】
１…排水口、２…栓蓋、３…排水栓、４…操作レリース、５…操作部、６…排水トラップ、６ｃ…防臭筒、７…エルボ、８…ガイド、９…保持部材、９ａ…操作レリース挿通用の孔、１０…蛇腹パッキン、Ａ…洗い場、Ｂ…浴槽、Ｐ１…浴槽パン、Ｐ２…洗い場パン、Ｃ…排水部材。
【図１】
0005008136.tif 000002
【図２】
0005008136.tif 000003